(57)【特許請求の範囲】
【請求項１】
地下に配置される複数のボックスに集水した雨水を一時的に貯留しその後徐々に排出するようにしたボックス配置型貯留浸透槽において、
前記複数のボックス（２）は、透水コンクリート製の透水性の周壁（２１）と、該周壁（２１）の上部に該周壁（２１）と連続的かつ一体的に設けられ前記雨水を集水するための集水口（２３）および隣のボックスからの雨水の流入ないしは隣のボックスへの雨水の流出を行うための開口部（２４）を有するコンクリート製の非透水性の上壁（２２）とからなり、該複数のボックス（２）を傾斜地に配置するとともに上流のボックスと下流のボックスとの開口部（２４）を管路（３）で接続することにより、配置したボックスの全体で貯留浸透槽を成すようにした、ことを特徴とするボックス配置型貯留浸透槽。
【請求項２】
地下に配置される複数のボックスに集水した雨水を貯留するとともにその一部を徐々に排出するボックス配置型貯留浸透槽において、
前記複数のボックス（５）は、コンクリート製の非透水性の周壁（５１）の下部（５１１）と、透水コンクリート製の透水性の周壁（５１）の上部（５１２）と、該周壁（５１）の上部（５１２）と連続的かつ一体的に設けられ前記雨水を集水するための集水口（５３）を有するコンクリート製の非透水性の上壁（５２）と、該集水口（５３）の上部に連接して設けられその側壁に隣のボックスからの雨水の流入ないしは隣のボックスへの雨水の流出を行うための開口部（５４）を有するマンホール（１０７）とからなり、該複数のボックス（５）を傾斜地に配置するとともに上流のボックスと下流のボックスとの開口部（５４）を管路（３）で接続することにより、配置したボックスの全体で貯留浸透槽を成すようにした、ことを特徴とするボックス配置型貯留浸透槽。
【発明の詳細な説明】
【０００１】
【発明の属する技術分野】
この発明は、集水した雨水を地下で一時的に貯留しその後徐々に排出するボックス配置型貯留浸透槽に関するものである。
【０００２】
【従来の技術】
近年、地中に地下調整池としての貯留槽を埋設し、その貯留槽に多量の雨水を集めて一時的に貯留しその後徐々に排出することにより、河川への集中的な雨水流入を調整することが、広く行われている。そして、この貯留槽は連続性のある比較的大きな施設であるため、高低差のある傾斜地では貯留槽を傾斜させて埋設している。
【０００３】
また、傾斜地では、大規模な施設の設置が困難な場所が多く、そのような場所では、井戸形式のような、貯留槽としてのボックスを複数個、それぞれ単独で設置し、雨水を一時的に貯留するようにしている。
【０００４】
【発明が解決しようとする課題】
しかし、上記のように、貯留槽を傾斜させて設置すると、流入した雨水が均等に貯留できず、その槽内で下流（斜め下部）側から貯留していくため、その下流側の水圧が上がって雨水が貯留槽から吹き出すこともあり、これを防ぐために貯留槽内に水圧緩和のための堰を設ける必要があった。
【０００５】
また、複数のボックスをそれぞれ単独で設置する場合、一つのボックスが満杯になると、他のボックスに余裕があっても、互いに連絡がないため、流入水を受け入れることができず、貯留槽としての必要容量を十分に満たせない場合が多かった。
【０００６】
さらに、上記の貯留槽は、雨水を一時的に貯留し、その後は排出してしまうものであるが、その雨水を長期間多量に貯留して、特に傾斜地や住宅密集地などで不足がちな防火用水、あるいは災害発生時に不足する生活用水に役立てたいという要請もあった。
【０００７】
この発明は上記に鑑み提案されたもので、傾斜地であっても、槽内に堰を設ける必要はなく、容量も十分に満たすことができるボックス配置型貯留浸透槽を提供することを第１の目的とする。
【０００８】
また、貯留した雨水を防火用水や生活用水に当てることができるボックス配置型貯留浸透槽を提供することを第２の目的とする。
【０００９】
【課題を解決するための手段】
上記第１の目的を達成するために、請求項１に記載の発明は、地下に配置される複数のボックスに集水した雨水を一時的に貯留しその後徐々に排出するようにしたボックス配置型貯留浸透槽において、複数のボックス（２）は、透水コンクリート製の透水性の周壁（２１）と、該周壁（２１）の上部に該周壁（２１）と連続的かつ一体的に設けられ雨水を集水するための集水口（２３）および隣のボックスからの雨水の流入ないしは隣のボックスへの雨水の流出を行うための開口部（２４）を有するコンクリート製の非透水性の上壁（２２）とからなり、該複数のボックス（２）を傾斜地に配置するとともに上流のボックスと下流のボックスとの開口部（２４）を管路（３）で接続することにより、配置したボックスの全体で貯留浸透槽を成すようにした、ことを特徴とする。
【００１２】
さらに、上記第２の目的を達成するために、請求項２に記載の発明は、地下に配置される複数のボックスに集水した雨水を貯留するとともにその一部を徐々に排出するボックス配置型貯留浸透槽において、複数のボックス（５）は、コンクリート製の非透水性の周壁（５１）の下部（５１１）と、透水コンクリート製の透水性の周壁（５１）の上部（５１２）と、周壁（５１）の上部（５１２）と連続的かつ一体的に設けられ雨水を集水するための集水口（５３）を有するコンクリート製の非透水性の上壁（５２）と、該集水口（５３）の上部に連接して設けられその側壁に隣のボックスからの雨水の流入ないしは隣のボックスへの雨水の流出を行うための開口部（５４）を有するマンホール（１０７）とからなり、複数のボックス（５）を傾斜地に配置するとともに上流のボックスと下流のボックスとの開口部（５４）を管路（３）で接続することにより、配置したボックスの全体で貯留浸透槽を成すようにした、ことを特徴とする。
【００１３】
【発明の実施の形態】
以下にこの発明の実施の形態を図面に基づいて詳細に説明する。
図１はこの発明のボックス配置型貯留浸透槽の一例を概略的に示す図、図２はボックスの斜め下方からの斜視図、図３は図１のＸ−Ｘ線断面を示す図である。
これらの図において、ボックス配置型貯留浸透槽１は、集水した雨水を地下で一時的に貯留しその後徐々に排出させるための槽で、傾斜地１００に、貯留浸透用のボックス２…を間隔を開けて設置し、当該ボックス２と隣のボックス２との間を管路（連結管）３で接続して構成したものであり、配置したボックス２…の全体で貯留浸透槽を成している。各ボックス２は、各掘削部１０１内に周囲に砕石１０２を堆積させた状態で水平に設置されている。
【００１４】
なお、掘削部１０１の側面には、細粒土が砕石１０２側へ混入してくるのを防止するための透水シート１０３が掛けられている。
【００１５】
上記のボックス２は、底面が開口したボックス状のものであり、透水性を有する周壁２１と、雨水の集水口２３を有する上壁２２とから成る。このボックス２を掘削部１０１に設置する際には、掘削部１０１側にボックス２の据付面に相当する部分まで砕石１０２を充填しておき、その砕石１０２上にボックス２を載置し、その後ボックス２の底部１０９に貯まる流入土砂等を清掃しやくするするために、コンクリートで現場打設し平均に均しておく。周壁２１は、例えば透水コンクリート製であり、この透水コンクリートは、骨材相互をコンクリート成分で接合するとともに各骨材間に微細な連続状の空隙を持たせて水が通過可能にしたものである。周壁２１の上部には、その周壁２１とは連続的にかつ一体的にコンクリート製の上壁２２が形成されている。その長さ方向両端の壁には、各上端中央に連結管３接続用の開口部２４，２４が穿設してあり、各ボックス２を配置した後、隣のボックス２との間で、この開口部２４，２４同士を連結管３で接続する。なお、開口部２４は、周壁上端よりさらに高い位置、例えば後述するマンホール１０７の側壁に設けるようにしてもよい。
【００１６】
上壁２２には、適当な箇所に集水口２３を穿設し、この集水口２３には、地表面に臨むマンホール１０７を載置し、そのマンホール１０７と、地表面に設けた集水ます１０５とを連接して集水ます１０５からの雨水を導きボックス２に集水する。なお、マンホール１０７は点検口の役割も果たしており、蓋を開けて作業員が出入りすることでボックス２の内部を点検できるようになっている。上壁２２の上方には人工基盤を形成し、用途により適宜表面処理して歩道、公園などを造る。
【００１７】
上記構成のボックス配置型貯留浸透槽１において、雨水は各集水口２３から各ボックス２に流入する。そして、何れかのボックス２において、雨水が貯まり水面が開口部２４より上になると、その分は連結管３を通って傾斜下方の隣のボックス２に流入する。このようにして、配置したボックス２…は連通して全体で大きな貯留浸透槽１を構成する。
【００１８】
各ボックス２に貯留された雨水は、その後周壁２１の透水コンクリートに浸透し、さらに透水コンクリートから砕石１０１に浸透し、透水シート１０３を通って徐々に地下水として排出される。
【００１９】
このように、この実施形態では、貯留浸透用のボックス２を配置するようにし、かつその配置したボックス２を連通して全体で貯留浸透槽１を成すようにしたので、傾斜地や設置スペースの狭い住宅密集地のような大規模な施設を設置できない場所でも、簡単に設置でき、しかも相互に貯留量を補い合うので、貯留槽としての必要容量も十分に確保することができ、また連結管３でつないでいくため、曲線的な施工にも有利となる。
【００２０】
また、隣のボックス２同士を連結する連結管３は、ボックス２が満杯になる水面同士を連通するので、各ボックス２内部での過度な水圧上昇を防止でき、堰を設けなくとも、十分に水圧を緩和することができ、ボックス配置型貯留浸透槽を傾斜地での適合性の高いものとすることができる。
【００２１】
さらに、ボックス２をその周壁２１をポーラスな構造としまた底面を備えないものとしたので、軽量化を実現でき、その施工に際しての運搬および設置をより簡単に行うことができる。
【００２２】
次に、この発明のボックス配置型貯留浸透槽の第２の実施形態について、図４および図５を用いて説明する。
【００２３】
図４はこの発明のボックス配置型貯留浸透槽の第２の実施形態を示す図、図５はボックスの斜視図である。なお、図４および図５において、上記第１の実施形態と同一の構成要素には同一の符号を付して、その説明を省略することとする。
【００２４】
この第２の実施形態が、上記第１の実施形態と異なる点は、ボックス配置型貯留浸透槽１Ａを構成するボックス５を井戸型とし、その井戸型ボックス５の下部５１１に雨水を長期間貯留させ、雨水の地中への浸透を上部５１２から行わせるようにした点である。
【００２５】
すなわち、ボックス配置型貯留浸透槽１Ａを構成する各ボックス５は、周壁５１の下部５１１を、例えばコンクリート製で非透水性とすることで雨水の長期間貯留を可能とし、周壁５１の上部５１２を、例えば透水コンクリート製を用いて透水性を持たせることで貯留水の地中への浸透を可能としており、上壁５２には雨水の集水口５３を備えている。ボックス配置型貯留浸透槽１Ａは、この貯留浸透用のボックス５を間隔を開けて配置し、当該ボックス５と隣のボックス５との間を管路（連通管）３で接続して構成する。この連通管３の接続は、マンホール１０７の側壁に穿設した開口部５４を、隣のボックス５との間で接続することにより行う。
【００２６】
この第２の実施形態では、ボックス５を連通させるので、上記の第１の実施形態と同様に、傾斜地等での設置容易、貯留浸透槽としての必要容量確保等の効果を奏するとともに、さらに次のような効果を発揮する。すなわち、井戸型ボックス５の下部５１１に雨水を長期間貯留させ、雨水の地中への浸透を上部５１２から行わせるようにしたので、雨水を一時的に貯留しその後排出するという地下調整池としての機能に追加してさらに、多量の雨水を下部５１１に貯めることで、傾斜地や住宅密集地などで不足がちな防火用水、あるいは災害発生時に不足する生活用水に当てることができ、地下の有効活用に寄与するところ大である。
【００２７】
上記の説明では、ボックス２，５を傾斜地１００に設置する場合について説明したが、これを小さな公園や住宅密集地での道路などにも同様に設置することができる。平地での設置に際しては、ボックス２，５の埋設深さを順次変えて配置し連通させてもよいし、同一深さに並べて配置して連通させてもよい。
【００２８】
また、第２の実施形態では、複数の井戸型ボックス５を配置し連通するようにしたが、井戸型のボックス５を単独で設置しても、上記の効果、すなわち貯留水を防火用水、生活用水に当てることができるという効果を同様に発揮することができる。
【００２９】
さらに、透水性の周壁２１，周壁上部５１２をそれぞれ透水コンクリートで形成するようにしたが、これを多数のスリットや多孔を有する周壁として構成してもよい。
【００３０】
【発明の効果】
この発明は上記した構成からなるので、以下に説明するような効果を奏することができる。
請求項１に記載の発明では、貯留浸透用のボックスを配置するようにし、かつその配置したボックスを連通して全体で貯留浸透槽を成すようにしたので、傾斜地や設置スペースの狭い住宅密集地のような大規模な施設を設置できない場所でも、簡単に設置でき、しかも相互に貯留量を補い合うので、貯留槽としての必要容量も十分に確保することができ、また管路でつないでいくため、曲線的な施工にも有利となる。
【００３１】
また、請求項２に記載の発明では、当該ボックスおよび隣のボックスの各周壁上端あるいはそれより高い位置にそれぞれ設けた開口部同士を接続して管路とし、ボックスが満杯となる水面同士を連通するので、隣のボックスからの流入水でボックス内部の水圧が過度に上昇するようなことはなく、したがって堰を設けなくとも十分に水圧を緩和することができ、ボックス配置型貯留浸透槽を傾斜地での適合性の高いものとすることができる。
【００３２】
さらに、請求項３に記載の発明では、ボックスをコンクリート製の上壁と、透水コンクリート製の周壁とで構成したので、軽量化を実現でき、その施工に際しての運搬および設置をより簡単に行うことができる。
【００３３】
また、請求項４に記載の発明では、井戸型のボックスを用い、その井戸型ボックスの下部に雨水を長期間貯留させ、雨水の地中への浸透を上部から行わせるようにしたので、雨水を一時的に貯留しその後排出するという地下調整池としての機能に追加してさらに、多量の雨水を下部に貯めることで、傾斜地や住宅密集地などで不足がちな防火用水、あるいは災害発生時に不足する生活用水に当てることができ、地下の有効活用に寄与するところ大である。
【図面の簡単な説明】
【図１】この発明のボックス配置型貯留浸透槽の一例を概略的に示す図である。
【図２】ボックスの斜め下方からの斜視図である。
【図３】図１のＸ−Ｘ線断面を示す図である。
【図４】この発明のボックス配置型貯留浸透槽の第２の実施形態を示す図である。
【図５】第２の実施形態でのボックスの斜視図である。
【符号の説明】
１，１Ａ    ボックス配置型貯留浸透槽
２，５      ボックス
３          連結管（管路）
２１，５１    周壁
２２，５２    上壁
２３，５３    集水口
２４，５４    開口部
１００          傾斜地
１０１          掘削部
１０２          砕石
１０３          透水シート
１０５          集水ます
１０７          マンホール
【図１】
0003974214.tif 000002
【図２】
0003974214.tif 000003
【図３】
0003974214.tif 000004
【図４】
0003974214.tif 000005
【図５】
0003974214.tif 000006